(57)【要約】      （修正有）【課題】光ファイバ心線数が多い光ケーブルにも適用できる十分な収容力を有し、光複合電力ケーブルの可撓性を維持することが可能な光接続箱と、これを備えた光複合電力ケーブルを提供する。【解決手段】光複合電力ケーブルの電力ケーブルの外周側の空間の一部には、収容部２９ｂが配置される。収容部２９ｂには、光ケーブル５の接続部等が収容される。収容部２９ｂは、本体部５１と蓋部５３で構成される。本体部５１および蓋部５３は、例えば金属のように、水分を透過しない材料で構成される。本体部５１に対して、蓋部５３は、開閉可能である。収容部２９ｂは、連結部４３によって複数連結される。連結部４３は、例えばインターロック管である。両端に配置された収容部２９ｂの端部には、それぞれ光ケーブル５が貫通して、収容部２９ｂ内部に光ケーブル５が導入される。【選択図】図７
2014209166.tif 000002
【特許請求の範囲】
【請求項１】
光ケーブルが電力ケーブルに複合され、前記光ケーブルを構成する光ファイバの接続部が接続箱に収容されてなる光複合電力ケーブルであって、
前記接続箱は、複数の収容部が、可撓性を有する連結部によって、前記光複合電力ケーブルの長手方向に複数連結されていることを特徴とする光複合電力ケーブル。
【請求項２】
複数の前記収容部の少なくとも一つには、光学機能性部品が収容されることを特徴とする請求項１記載の光複合電力ケーブル。
【請求項３】
複数の前記光ファイバは、複数のチューブまたはスロットによって、複数の光ファイバ群に区別され、
それぞれの前記光ファイバ群ごとの接続部が、複数の前記収容部に区別して収容されることを特徴とする請求項１または請求項２に記載の光複合電力ケーブル。
【請求項４】
光ケーブルが電力ケーブルに複合されてなる光複合電力ケーブルに用いられ、光ケーブルを構成する光ファイバの接続部を収容するための接続箱であって、
内部に空間を有する収容部と、
可撓性を有し、複数の前記収容部を連結する連結部と、
を具備し、
前記収容部の断面は、二相以上の電力ケーブルを撚りあわせて形成される外周側の隙間に対応した略扇形状であることを特徴とする光複合電力ケーブル用の接続箱。
【発明の詳細な説明】
【技術分野】
【０００１】
本発明は、光ファイバ接続部を収容するための十分なスペースを有し、可撓性にも優れる光複合電力ケーブル等に関する。
【背景技術】
【０００２】
海底ケーブルには、光複合電力ケーブルを用いることが多くなっている。光複合電力ケーブルを用いることで、電力送電線路の建設と同時に通信回線を確保することができ、光ケーブルの布設コストを低減することができる。光複合電力ケーブルでは、例えば、三相交流送電のための撚り合わされた三相の電力ケーブルの肩口に形成される空間に光ケーブルが配置される。このように、電力ケーブル同士の空き空間を利用することで、ケーブル全体の外径を大きくすることなく、電力ケーブルと光ケーブルとを複合化することができる。
【０００３】
光ケーブルおよび電力ケーブルは、それぞれ製造できる長さに限界がある。このため、より長い光複合電力ケーブルを得るためには、製造された電力ケーブル同士または光ケーブル同士が接続されて用いられる。また、光複合電力ケーブルを布設後に通信回路に不具合が生じた場合には、光複合電力ケーブルを洋上の作業船に引き上げて、光ケーブルを再接続することが必要となる場合もある。
【０００４】
このような、光ケーブルの接続部は、例えば前述したように電力ケーブル同士の空き空間に配置された接続箱に収容される（例えば特許文献１、２）。
【先行技術文献】
【特許文献】
【０００５】
【特許文献１】特開２００４−１３４２８８号公報
【特許文献２】ＵＳ  ２０１２／００３３９２８Ａ１
【発明の概要】
【発明が解決しようとする課題】
【０００６】
しかし、特許文献１の光ケーブル接続箱は、光アンプなどの光学機能性部品を収容することは困難である。
【０００７】
一方、特許文献２の接続箱は、光ファイバを接続部と共に光アンプなども収容できる。しかし、この接続箱は、光ファイバ心線数が多い場合には、全長を長くする必要がある。このように接続箱の長さを長くすると、接続箱の剛性によって、複合電力ケーブルの可撓性が悪化する。すなわち、接続箱がリジッドであるため、接続箱が長くなるほど、光複合電力ケーブルの曲げやねじれに追従することが困難となる。
【０００８】
また、接続箱の剛性や遮水性を確保するためには、通常、接続箱の材質として金属が使用される。しかし、金属製の接続箱に、繰り返しの曲げが加わると、変形や金属疲労等による接続箱の破損の恐れがある。このように接続箱が破損すると、その遮水性が失われる可能性がある。
【０００９】
本発明は、このような問題に鑑みてなされたもので、光ファイバ心線数が多い光ケーブルにも適用できる十分な収容力を有し、光複合電力ケーブルの可撓性を維持することが可能な光接続箱と、これを備えた光複合電力ケーブル等を提供することを目的とする。
【課題を解決するための手段】
【００１０】
前述した目的を達成するため、第１の発明は、光ケーブルが電力ケーブルに複合され、前記光ケーブルを構成する光ファイバの接続部が接続箱に収容されてなる光複合電力ケーブルであって、前記接続箱は、複数の収容部が、可撓性を有する連結部によって、前記光複合電力ケーブルの長手方向に複数連結されていることを特徴とする光複合電力ケーブルである。
【００１１】
このように、連結部によって、光複合電力ケーブルの長手方向に複数の収容部が連結されるため、接続箱の光複合電力ケーブルの曲げやねじれへの追従性を高めることができる。また、複数の収容部を連結するため、全体として十分な収容スペースを確保することができる。このため、光ファイバ心線数が多い場合でも、全ての光ファイバの接続部を収容することが可能である。
【００１２】
複数の前記収容部の少なくとも一つには、光学機能性部品が収容されてもよい。
【００１３】
このように、本発明では、複数の収容部を連結することで、十分な収容スペースを確保することができるため、光アンプなどの光学機能性部品を収容することも可能である。したがって、光アンプなどの機能性モジュールが必要な場合でも、対応することができる。
【００１４】
複数の前記光ファイバは、複数のチューブまたはスロットによって、複数の光ファイバ群に区別され、それぞれの前記光ファイバ群ごとの接続部が、複数の前記収容部に区別して収容されることが望ましい。
【００１５】
このようにすることで、それぞれの収容部に収容される光ファイバの接続部を容易に区別することができる。したがって、接続部を修理する場合などにおいて、どの収容部にどの光ファイバが収容されているかを把握しやすいため、作業性が良好である。
【００１６】
第２の発明は、光ケーブルが電力ケーブルに複合されてなる光複合電力ケーブルに用いられる、光ケーブルを構成する光ファイバの接続部を収容するための接続箱であって、内部に空間を有する収容部と、可撓性を有し、前記収容部同士を連結する連結部と、を具備し、前記収容部の断面は、二相以上の電力ケーブルをよりあわせて形成される外周側の隙間に対応した略扇形状であることを特徴とする光複合電力ケーブル用の接続箱である。
【発明の効果】
【００１７】
本発明によれば、光ファイバ心線数が多くても、十分な収容力を有し、光複合電力ケーブルの可撓性を維持することが可能な接続箱、およびこれを備えた光複合電力ケーブル等を提供することができる。
【図面の簡単な説明】
【００１８】
【図１】光複合電力ケーブル１を示す断面図。
【図２】収容部２９を示す分解斜視図。
【図３】光ケーブル５同士の接続部近傍を示す概念図。
【図４】収容部２９の断面図であり、（ａ）は図３のＡ−Ａ線断面図、（ｂ）は図３のＢ−Ｂ線断面図、（ｃ）は図３のＣ−Ｃ線断面図。
【図５】光複合電力ケーブル１ａを示す断面図。
【図６】光複合電力ケーブル１ｂを示す断面図。
【図７】収容部２９ｂを連結した状態を示す図。
【図８】収容部２９ｂを連結した他の状態を示す図。
【図９】連結した収容部２９ｂを円盤６５に沿わせた状態を示す図。
【発明を実施するための形態】
【００１９】
＜実施形態１＞
以下、本発明の実施形態について説明する。図１に示す光複合電力ケーブル１は、主に、電力ケーブル３、光ケーブル５、押えテープ２１、座床テープ２３、鎧装２５、外被２７および収容部２９と連結部４３からなる接続箱５０（図３）等から構成される。
【００２０】
電力ケーブル３は、中心から、導体７、内部半導電層９、絶縁層１１、外部半導電層１３、シールド層１５、座床テープ１７が設けられる。３本の電力ケーブル３は撚り合わされ、３本の全体を覆うように、押えテープ２１と座床テープ２３が巻きつけられる。座床テープ２３の外周には、鎧装２５が設けられ、最外周に外被２７が設けられる。
【００２１】
光複合電力ケーブル１の撚り込まれた電力ケーブル３の外部の谷間のスペースには、光ケーブル５が配置される。また、光複合電力ケーブル１の撚り込まれた電力ケーブル３の略中央には、収容部２９が配置される。収容部２９には、光ケーブル５の接続部および光アンプなどが収容される。収容部２９は、三相の電力ケーブル３のそれぞれの隙間に配置されるように、ほぼ均等に三方向に枝分かれした断面形状である。すなわち、断面が略Ｙ字状に形成される。収容部２９を除く、撚り込まれた電力ケーブル３によって形成される空間には、その空間を埋めるように介在１９が設けられる。
【００２２】
なお、光複合電力ケーブル１の断面構造は、図１に示した例には限られない。電力ケーブル３の略中央に収容部２９が設けられれば、各部の構成や形状、配置、数量などは、図示した例に限られず、適宜設計することができる。例えば、電力ケーブル３は二相以上であればよく、収容部２９は、電力ケーブル３の本数に応じて適宜形状が設定される。
【００２３】
次に、収容部２９の詳細について説明する。図２に示す収容部２９は、本体３１と蓋３３で構成される。本体３１は、一方の端面に光ファイバを導入、導出するための孔３５ａが設けられ、他方の端面には、収容部２９同士を連結するための孔３５ｂが設けられている。孔３５ａは、枝分かれ形状の先端側に配置される。また、孔３５ｂは、枝分かれ形状の基部側（収容部２９の略中央）に設けられる。孔３５ａ、３５ｂの位置については後述する。
【００２４】
本体３１に対して、蓋３３は、着脱可能である。蓋３３は、本体３１の三方向からそれぞれ装着される。蓋３３は、本体３１の枝分かれ形状に対応する形状である。すなわち、蓋３３は、略Ｖ字状の形状である。フレーム状の本体３１に蓋３３を装着することで、内部に閉空間を形成することができる。
【００２５】
次に、収容部２９の使用方法について説明する。図３は、光ケーブル５同士の接続部近傍を示す概略図である。光ケーブル５は、テンションメンバ４１と、複数の光ファイバから構成される。なお、光ケーブル５の断面の構成についての詳細な説明は省略するが、従来から使用されているスロットタイプやルースチューブタイプの光ケーブルを使用することができる。
【００２６】
図３の例では、光ファイバ３７ａを収容部２９に導入する例を示す。光ケーブル５の一部の光ファイバ３７ａは、収容部２９の内部に導入され、収容部２９の内部に光ファイバ３７ａ同士の接続部や光アンプなどが配置される。この場合、他の光ファイバ３７ｂは、テンションメンバ４１とともに、電力ケーブル３の外周（図１）に配置される。
【００２７】
収容部２９は、光ケーブル５（光複合電力ケーブル１）の長手方向に沿って複数配置される。複数連結された収容部２９の内、両端の収容部２９には、光ファイバ導入出部４５が設けられる。光ファイバ３７ａは、収容部２９の光ファイバ導入出部４５から、収容部２９に導入される。図４（ａ）は、図３のＡ−Ａ線における収容部２９の断面図である。なお、図４においては、収容部２９内部の光ファイバ等の図示を省略する。光ファイバ導入出部４５は、孔３５ａに対応する部位であり、例えば、孔３５ａに保護管等が接合されて形成される。
【００２８】
光ファイバ導入出部４５は、収容部２９の枝分かれ形状の先端部近傍に設けられる。したがって、光ファイバ導入出部４５は、電力ケーブル３の外周側に形成される谷間部分に近い位置に配置される。このため、光ケーブル５と光ファイバ導入出部４５との位置が近く、光ファイバ３７ａを容易に収容部２９に導入することができる。
【００２９】
収容部２９同士は、孔３５ｂの部分で連結部４３を介して連結される。すなわち、収容部２９同士の対向部には、連結部４３が設けられる。図３の例では、収容部２９を３つ連結しているので、中間には、孔３５ｂが２つ設けられた収容部２９が配置されている。なお、収容部２９の連結数は内部に収容される構成に応じて適宜設計される。
【００３０】
連結部４３は、可撓性を有し、捩じることが可能な管体であり、たとえばインターロック管を用いることができる。図４（ｂ）は、図３のＢ−Ｂ線における収容部２９の断面図である。連結部４３は、孔３５ｂに対応する部位であり、孔３５ｂに管体が接合されて形成される。連結部４３は、収容部２９の枝分かれ形状の基部（収容部２９の中央）近傍に設けられる。したがって、連結部４３は、光複合電力ケーブル１の略中央に配置される。このため、連結部４３は光複合電力ケーブル１の可撓性への追従性が優れる。
【００３１】
また、連結部４３の内部には、光ファイバ３７ａが通される。すなわち、隣り合う収容部２９同士の間は、連結部４３を介して光ファイバ３７ａ等が導入出される。このように、収容部２９の略中央の連結部４３に光ファイバ３７ａ等を収容するため、収容部２９同士の間の光ファイバ３７ａ等の取り回しが容易である。
【００３２】
複数の収容部２９の内部には、光ファイバ３７ａ同士の接続部（接続カセットなど）や、光アンプなどが収容される。たとえば、光アンプによる光増幅を終えた光ファイバ３７ａは、端部の収容部２９の光ファイバ導入出部４５から導出されて、光ケーブル５と合流する。
【００３３】
図４（ｃ）は、図３のＣ−Ｃ線における収容部２９の断面図である。前述したように、光ファイバ導入出部４５は、収容部２９の枝分かれ形状の先端部近傍に設けられる。したがって、光ファイバ導入出部４５は、電力ケーブル３の外周部側の谷間部に近い側に配置される。このため、光ケーブル５と光ファイバ導入出部４５との位置が近く、光ファイバ３７ａを容易に光ケーブル５に合流させることができる。
【００３４】
ここで、光複合電力ケーブル１は可撓性を有する。したがって、収容部２９は、光複合電力ケーブル１の可撓性に悪影響が出ない程度の長さで形成される。また、複数の収容部２９同士は、可撓性を有する連結部４３で連結される。したがって、このように形成された収容部２９全体としては、光複合電力ケーブル１の可撓性に追従し、曲げ方向、ねじり方向の変形が可能である。
【００３５】
また、光複合電力ケーブル１は、例えば、電力ケーブル３を撚り合わせる工程と同時に、あらかじめ連結された収容部２９を電力ケーブル３同士の間に配置すればよい。このようにすることで、通常の製造工程に対して工程を増やすことなく、収容部２９を配置することができる。
【００３６】
以上、本実施の形態によれば、収容部２９が、三相の電力ケーブル３の略中央に配置される。このため、電力ケーブル３の外径が小さい場合であっても、十分なスペースを確保することができる。特に、収容部２９が三方向の枝分かれ形状であるため、三相の電力ケーブル３同士の間への収容効率が高い。また、可撓性を有する連結部４３で複数の収容部２９を連結した接続箱５０を用いるため、光複合電力ケーブル１の可撓性にも追従可能であるとともに、十分なスペースを確保することができる。
【００３７】
また、複数の収容部２９が連結された際に、両端部の収容部２９には、光ファイバ導入出部４５が設けられる。光ファイバ導入出部４５が、枝分かれ形状の先端部近傍に設けられるため、光ケーブル５からの光ファイバ３７ａの導入や導出の取り回しが良い。また、連結部４３同士は、収容部２９の中央に配置されるため、可撓性にも優れ、光複合電力ケーブルの屈曲に対する追従性が良く、収容部２９同士の間の光ファイバ３７ａ等の取り回しも容易である。
【００３８】
＜実施形態２＞
次に、第２の実施の形態について説明する。なお、以下の説明において、光複合電力ケーブル１と同様の構成については、図１〜図４と同一の符号を付し、重複する説明を省略する。図５に示す光複合電力ケーブル１ａは、光複合電力ケーブル１とほぼ同様の構成であるが、収容部２９ａが用いられる点で異なる。
【００３９】
収容部２９ａは、収容部２９とほぼ同様の構成であるが、断面形状が異なる。収容部２９ａは、二方向の枝分かれ形状である。すなわち、収容部２９の１本の枝を無くした略Ｖ字状の形状である。この場合には、三相の電力ケーブル３同士の３つの隙間の２か所に枝分かれ部が配置される。したがって、枝分かれ形状の基部は、収容部２９と同様に、光複合電力ケーブル１ａの略中央に配置される。
【００４０】
収容部２９ａを用いる場合にも、光ファイバ導入出部４５（図４）は、枝分かれ形状の先端側に配置され、連結部４３（図４）は、枝分かれ形状の基部に配置される。また、収容部２９ａも本体と蓋から構成されるが、収容部２９の蓋３３をそのまま用いることもできる。したがって、必要な収容スペースに応じて、収容部２９、２９ａを使い分ければよい。
【００４１】
第２の実施の形態によれば、第１の実施の形態と同様の効果を得ることができる。すなわち、複数方向への収容部の枝分かれ形状は、光複合電力ケーブルの略中央に配置可能であれば、その本数は特に限定されない。また、収容部２９ａのように、必要十分なスペース（断面積）が確保できれば、枝分かれ形状が少ない分、光複合電力ケーブル１ａの外径を小さくすることができる。
【００４２】
なお、収容部２９、２９ａの形状は、必ずしも枝分かれ形状でなくてもよい。電力ケーブル３の略中央に配置できれば、その形状は他の形状であってもよい。
【００４３】
＜実施形態３＞
次に、第３の実施の形態について説明する。図６に示す光複合電力ケーブル１ｂは、光複合電力ケーブル１とほぼ同様の構成であるが、接続箱５０の収容部２９ｂが異なる。
【００４４】
光複合電力ケーブル１の電力ケーブル３の外周側の空間Ｄ（押えテープ２１と撚り込まれた電力ケーブル３との間に形成される空間Ｄ）の一部には、収容部２９ｂが配置される。収容部２９ｂには、光ケーブル５の接続部等が収容される。収容部２９ｂは、空間Ｄの形状に対応した略三角（略扇状）の断面形状であり、光複合電力ケーブル１の外径が大きくなることがない寸法に形成されている。
【００４５】
次に、収容部２９ｂの詳細について説明する。収容部２９ｂは、図７に示すように、本体部５１と蓋部５３で構成される。本体部５１および蓋部５３は、例えば金属のように、水分を透過しない材料で構成される。なお、本体部５１および蓋部５３を、樹脂等で構成する場合には、本体部５１および蓋部５３の外周に例えば鉛のような金属材料で覆うことが望ましい。
【００４６】
本体部５１に対して、蓋部５３は、開閉可能である。なお、収容部２９ｂを光複合電力ケーブル１の内部に配置した際に、蓋部５３は、光複合電力ケーブル１の外周側に向くように配置され、本体部５１が光複合電力ケーブル１の中心側に配置される。
【００４７】
ここで、光複合電力ケーブル１は可撓性を有しているので、光複合電力ケーブル１が曲げられたとき、収容部２９ｂは、この変形によって破損することがない程度の強度が必要である。また、収容部２９ｂは、光複合電力ケーブル１は可撓性を損なわない長さとする。このように設計された収容部２９ｂは、インターロック管などの可撓性を有する連結部４３によって複数連結される。
【００４８】
両端に配置された収容部２９ｂの端部には、それぞれ光ケーブル５が貫通して、収容部２９ｂ内部に光ケーブル５が導入される。本体部５１の光ケーブル５の貫通部では、本体部５１と光ケーブル５の鉛被とが、例えば溶接や鉛工によって接合される。収容部２９ｂは、蓋部５３を閉じることで、遮水性を確保することができるように構成されている。
【００４９】
光ケーブル５は、内部に複数の光ファイバ群５５とテンションメンバ５９を有する。光ファイバ群５５は、複数の光ファイバから構成される。光ファイバ群５５は、例えば光ケーブル５がスロット型であれば、各スロットに収容された光ファイバの集合であり、または、光ケーブル５がルースチューブタイプの光ケーブルであれば、例えば各チューブに挿入された光ファイバの集合である。
【００５０】
それぞれの収容部２９ｂには、光ファイバ３９の接続部と余長部が収容される。なお、光ファイバ３９同士は、融着スリーブ５７等を用いて接続される。この際、収容部２９ｂには、適宜ガイド部を形成し、余長部の光ファイバ３９が、所定の曲げ半径以上に保たれた状態で収容される。
【００５１】
ここで、それぞれの収容部２９ｂには、光ファイバ群５５ごとの光ファイバ３９の接続部と余長部等が収容されることが望ましい。例えば、２４心の光ケーブル５に対して、８心ずつの３つの光ファイバ群５５からなる光ケーブル５を用いる場合には、３つの収容部２９ｂのそれぞれに、各光ファイバ群５５の８心の光ファイバ３９の接続部が収容される。このようにすることで、光ファイバ３９の区別が容易となる。
【００５２】
なお、収容部２９ｂに収容されるのは、光ファイバ３９の接続部および余長部のみには限られない。図８は、収容部２９ｂに、他の構成を収容した状態を示す図である。
【００５３】
例えば、収容部２９ｂ内には、テンションメンバ接続部６１を収容することができる。前述したように、光ケーブル５は、光ファイバ３９（光ファイバ群５５）とともに、テンションメンバ５９を有する。このため、光ケーブル５を接続する際には、テンションメンバ５９同士を接続する必要がある。収容部２９ｂには、このようなテンションメンバ接続部６１を収容することもできる。
【００５４】
また、収容部２９ｂ内には、例えば、光アンプ６３といった光学機能性部品を収容することもできる。光複合電力ケーブル１は、長距離に渡って布設される場合があるため、光ケーブル５に伝送される光強度が低下する恐れがある。したがって、所定間隔毎に、エルビウムドープファイバ等を用いた光アンプ６３を配置することで、光を増幅することができる。
【００５５】
図９は、このように収容部２９ｂを連結して構成された接続箱５０を円盤６５に沿わせて曲げた状態を示す図である。例えば、一つの収容部２９ｂの長さを３５０ｍｍとし、可撓性のある長さ５００ｍｍの連結部４３で連結することで、半径１ｍの円盤６５に対しても、収容部２９ｂに亀裂等の損傷を生じさせることなく屈曲させることができる。すなわち、光複合電力ケーブル１ｂを敷設する際に、半径１ｍで曲げられた場合でも、内部の収容部２９ｂが損傷することがなく、防水性を維持することができる。
【００５６】
また、連結部４３は、曲げだけでなく、捩じることが可能な管体である。このため、光複合電力ケーブル１ｂを敷設する際に、捻じりに対する性能を向上させることができる。このため、収容部２９ｂが配置された部位に対して、捻じりに対する特別な保護が不要である。
【００５７】
以上、本実施の形態によれば、収容部２９ｂの形状が、電力ケーブル３が撚り合わせられて形成される空間Ｄに対応するため、光複合電力ケーブル１の外径を大きくすることなく、収容部２９ｂを光複合電力ケーブル１に収容することができる。
【００５８】
また、複数の収容部２９ｂが可撓性を有する連結部４３で連結されるため、全体としての可撓性を維持しつつ、十分な収容スペースを確保することができる。このため、テンションメンバ接続部６１や光アンプ６３などのモジュールを収容することができる。また、光ファイバ群５５毎の接続部を別々の収容部２９ｂに収容することができる。このように、複数の収容部２９ｂごとに、収容する構成を区別することで、各部材や接続部を視認しやすく、作業性にも優れる。
【００５９】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００６０】
例えば、光複合電力ケーブル１の断面構造は、図６に示した例には限られない。電力ケーブル３によって形成される空間に、この空間形状に対応した形状の収容部２９ｂが設けられれば、各部の構成や形状、配置、数量などは、図示した例に限られず、適宜設計することができる。電力ケーブル３は、２相以上であれば、その相数は特に制限されない。収容部の形状を、二相以上の電力ケーブルで形成される空間に対応する形状とすることで、光複合電力ケーブル１の外径を大きくすることなく、収容部を配置することができる。
【符号の説明】
【００６１】
１、１ａ、１ｂ………光複合電力ケーブル
３………電力ケーブル
５………光ケーブル
７………導体
９………内部半導電層
１１………絶縁層
１３………外部半導電層
１５………シールド層
１７………座床テープ
１９………介在
２１………押えテープ
２３………座床テープ
２５………鎧装
２７………外被
２９、２９ａ、２９ｂ………収容部
３１………本体
３３………蓋
３５ａ、３５ｂ………孔
３７ａ、３７ｂ………光ファイバ
４１………テンションメンバ
４３………連結部
４５………光ファイバ導入出部
５０………接続箱
５１………本体部
５３………蓋部
５５………光ファイバ群
５７………融着スリーブ
５９………テンションメンバ
６１………テンションメンバ接続部
６３………光アンプ
６５………円盤
【図１】
2014209166.tif 000003
【図２】
2014209166.tif 000004
【図３】
2014209166.tif 000005
【図４】
2014209166.tif 000006
【図５】
2014209166.tif 000007
【図６】
2014209166.tif 000008
【図７】
2014209166.tif 000009
【図８】
2014209166.tif 000010
【図９】
2014209166.tif 000011